(57)【要約】      （修正有）【課題】複数の番組コンテンツ記録先を有する再生装置において、番組コンテンツを容易に選択する。【解決手段】録画管理サーバは、番組ＩＤと、テレビジョン装置における番組コンテンツの録画状況と、各番組コンテンツがいずれのサーバに記録されているかを示す記録先情報とを対応付けて番組管理情報として管理する。テレビジョン装置は過去及び未来の番組が一体に表示された電子番組表１００を表示し、ユーザコンテンツサーバに記録されている番組については録画完了マークＲＭを表示する。一方テレビジョン装置は電子番組表１００において番組コンテンツの再生指示がされると、録画管理サーバから指示されたサーバから当該番組コンテンツを受信しストリーミング再生を行う。これによりテレビジョン装置は、ユーザに番組コンテンツ記録先を指定させることなく、電子番組表１００によりユーザ所望の番組コンテンツの録画、再生を行うことができる。【選択図】図３
2010252191.tif 000002
【特許請求の範囲】
【請求項１】
外部から番組情報を受信する受信部と、
上記受信部により受信した上記番組情報が記録され蓄積される番組情報記憶部と、
上記番組情報記憶部に蓄積された過去の番組情報に基づき、上記過去の番組情報を時系列に従って並べた電子番組表となる番組表データを生成する番組表データ生成部と、
上記番組表データに基づき上記電子番組表を表示する表示部と、
上記表示部に表示された上記電子番組表から、上記番組情報を介して再生すべき番組コンテンツを選択させる選択部と、
上記番組コンテンツを有する外部機器との間でネットワークを介しデータ通信を行う通信部と、
上記外部機器とは別に設けられた、上記番組コンテンツが記録される番組コンテンツ記憶部と、
上記番組コンテンツの記録先を管理し、上記番組コンテンツの取得要求に応じて、上記番組コンテンツ記憶部が当該番組コンテンツを記憶している場合は上記番組コンテンツ記憶部を示す記録先情報を供給し、上記番組コンテンツ記憶部が当該番組コンテンツを記憶していない場合は上記外部機器を示す記録先情報を供給する記録管理部と、
上記電子番組表から再生すべき番組コンテンツが選択されると、上記番組コンテンツの取得要求を上記記録管理部へ送出し、当該再生すべき番組コンテンツの記録先情報を上記記録管理部から取得して、当該記録先情報により示される上記番組コンテンツ記憶部又は上記外部機器から当該番組コンテンツを取得し再生する再生制御部と
を有する再生装置。
【請求項２】
上記受信部は、外部から上記番組コンテンツを受信し、
上記番組コンテンツ記憶部は、上記受信部により受信した上記番組コンテンツを記憶し、
上記番組表データ生成部は、上記番組情報記憶部に蓄積された過去及び未来の番組情報に基づき、上記過去の番組情報と上記未来の番組情報とを一体に時系列に従って並べた電子番組表となる番組表データを生成し、
上記選択部は、上記表示部に表示された上記電子番組表から、上記番組情報を介して記録すべき番組コンテンツを選択させ、
上記記録管理部は、上記番組コンテンツの記録要求に応じて、上記番組コンテンツ記憶部を示す記録先情報を供給し、
上記電子番組表から記録すべき番組コンテンツが選択されると、上記番組コンテンツの記録要求を上記記録管理部へ送出し、当該記録すべき番組コンテンツの記録先情報を上記記録管理部から取得して、当該記録先情報により示される上記番組コンテンツ記憶部へ当該番組コンテンツを送出する記録制御部
を有する請求項１に記載の再生装置。
【請求項３】
上記記録管理部は、上記番組コンテンツ記憶部への上記番組コンテンツの記録状況を管理し、
上記番組表データ生成部は、上記番組コンテンツの記録状況を上記記録管理部から取得し、上記電子番組表の上記番組情報と対応付けて上記番組コンテンツの記録状況を表す上記番組表データを生成する
請求項２に記載の再生装置。
【請求項４】
上記番組表データ生成部は、上記電子番組表において、上記番組コンテンツ記憶部に対する記録が完了した上記番組コンテンツを示す上記番組情報と対応付けて記録完了マークを表した上記番組表データを生成する
請求項３に記載の再生装置。
【請求項５】
上記番組表データ生成部は、上記電子番組表において、上記選択部により記録を選択された番組コンテンツであって上記番組コンテンツ記憶部への記録が開始されていない番組コンテンツを示す上記番組情報と対応付けて、記録待機中マークを表した上記番組表データを生成する
請求項３に記載の再生装置。
【請求項６】
上記番組表データ生成部は、上記電子番組表において、上記選択部により記録を選択された番組コンテンツであって上記番組コンテンツ記憶部へ記録中の番組コンテンツを示す上記番組情報と対応付けて、記録中マークを表した上記番組表データを生成する
請求項３に記載の再生装置。
【請求項７】
上記記録中マークは、上記番組コンテンツの総記録時間に対する記録完了時間の割合を表す
請求項６に記載の再生装置。
【請求項８】
上記記録管理部は、上記番組コンテンツ記憶部の上記番組コンテンツの記録状況を管理し、
上記番組表データ生成部は、上記番組コンテンツの記録状況を上記記録管理部から取得し、上記電子番組表において、上記番組コンテンツ記憶部に記憶された上記番組コンテンツを示す上記番組情報と対応付けて記録完了マークを表した上記番組表データを生成する
請求項１に記載の再生装置。
【請求項９】
上記番組コンテンツ記憶部は、ネットワークを介し接続された他の外部機器に設けられている
請求項１に記載の再生装置。
【請求項１０】
放送された番組コンテンツを記憶する記憶部と、
番組コンテンツの再生を行う再生装置とネットワークを介してデータ通信を行い、上記再生装置へ上記番組コンテンツを送信する放送局制御部と
を有する放送局サーバと、
外部から番組情報を受信する受信部と、
上記受信部により受信した上記番組情報が記録され蓄積される番組情報記憶部と、
上記番組情報記憶部に蓄積された過去の番組情報に基づき、上記過去の番組情報を時系列に従って並べた電子番組表となる番組表データを生成する番組表データ生成部と、
上記番組表データに基づき上記電子番組表を表示する表示部と、
上記表示部に表示された上記電子番組表から、上記番組情報を介して再生すべき番組コンテンツを選択させる選択部と、
上記番組コンテンツを有する放送局サーバとの間でネットワークを介しデータ通信を行う通信部と、
上記放送局サーバとは別に設けられた、上記番組コンテンツが記録される番組コンテンツ記憶部と、
上記番組コンテンツの記録先を管理し、上記番組コンテンツの取得要求に応じて、上記番組コンテンツ記憶部が当該番組コンテンツを記憶している場合は上記番組コンテンツ記憶部を示す記録先情報を供給し、上記番組コンテンツ記憶部が当該番組コンテンツを記憶していない場合は上記放送局サーバを示す記録先情報を供給する記録管理部と、
上記電子番組表から再生すべき番組コンテンツが選択されると、上記番組コンテンツの取得要求を上記記録管理部へ送出し、当該再生すべき番組コンテンツの記録先情報を上記記録管理部から取得して、当該記録先情報により示される上記番組コンテンツ記憶部又は上記放送局サーバから当該番組コンテンツを取得し再生する再生制御部と
を有する再生装置と
を有する番組コンテンツ送受信システム。
【発明の詳細な説明】
【技術分野】
【０００１】
本発明は再生装置及び番組コンテンツ送受信システムに関し、例えば複数の番組コンテンツ記憶先を有すると共に、電子番組表を表示可能なテレビジョン装置に適用して好適なものである。
【背景技術】
【０００２】
従来、テレビジョン装置においては、テレビジョン放送を受信し、当該テレビジョン放送に含まれる番組コンテンツを録画するようになされたものが広く普及している。
【０００３】
そのようなテレビジョン装置においては、録画した番組コンテンツのタイトルを列挙した録画リスト画面をユーザの操作により表示し、当該録画リスト画面から、再生する番組コンテンツを選択させ再生するものが提案されている。（例えば、特許文献１参照）。
【先行技術文献】
【特許文献】
【０００４】
【特許文献１】特開２００８−１７７６８２公報（第８図）
【発明の概要】
【発明が解決しようとする課題】
【０００５】
ところで、テレビジョン装置のなかには、テレビジョン装置の内部に記録された番組コンテンツを再生するだけでなく、インターネット上に存在する所定のサーバに記録された番組コンテンツを受信し再生するものがある。
【０００６】
そのような複数の番組コンテンツ取得先を持つテレビにおいて、ユーザが所望の番組コンテンツを再生する際、ユーザがまず当該所望の番組コンテンツの記録先を選択してから番組を選択するような、煩雑な操作を要するという問題があった。
【０００７】
本発明は以上の点を考慮してなされたもので、複数の番組コンテンツ記録先を有する再生装置において、番組コンテンツを容易に選択し得る再生装置及び番組コンテンツ送受信システムを提案しようとするものである。
【課題を解決するための手段】
【０００８】
かかる課題を解決するため本発明の再生装置においては、外部から番組情報を受信する受信部と、受信部により受信した番組情報が記録され蓄積される番組情報記憶部と、番組情報記憶部に蓄積された過去の番組情報に基づき、過去の番組情報を時系列に従って並べた電子番組表となる番組表データを生成する番組表データ生成部と、番組表データに基づき電子番組表を表示する表示部と、表示部に表示された電子番組表から、番組情報を介して再生すべき番組コンテンツを選択させる選択部と、番組コンテンツを有する外部機器との間でネットワークを介しデータ通信を行う通信部と、外部機器とは別に設けられた、番組コンテンツが記録される番組コンテンツ記憶部と、番組コンテンツの記録先を管理し、番組コンテンツの取得要求に応じて、番組コンテンツ記憶部が当該番組コンテンツを記憶している場合は番組コンテンツ記憶部を示す記録先情報を供給し、番組コンテンツ記憶部が当該番組コンテンツを記憶していない場合は外部機器を示す記録先情報を供給する記録管理部と、電子番組表から再生すべき番組コンテンツが選択されると、番組コンテンツの取得要求を記録管理部へ送出し、当該再生すべき番組コンテンツの記録先情報を記録管理部から取得して、当該記録先情報により示される番組コンテンツ記憶部又は外部機器から当該番組コンテンツを取得し再生する再生制御部とを設けるようにした。
【０００９】
これにより本発明の再生装置においては、ユーザに番組コンテンツ記録先を指定させることなく、電子番組表によりユーザ所望の番組コンテンツの録画、再生を行うことができる。
【００１０】
また本発明の番組コンテンツ送受信システムにおいては、放送された番組コンテンツを記憶する記憶部と、番組コンテンツの再生を行う再生装置とネットワークを介してデータ通信を行い、再生装置へ番組コンテンツを送信する放送局制御部とを有する放送局サーバと、外部から番組情報を受信する受信部と、受信部により受信した番組情報が記録され蓄積される番組情報記憶部と、番組情報記憶部に蓄積された過去の番組情報に基づき、過去の番組情報を時系列に従って並べた電子番組表となる番組表データを生成する番組表データ生成部と、番組表データに基づき電子番組表を表示する表示部と、表示部に表示された電子番組表から、番組情報を介して再生すべき番組コンテンツを選択させる選択部と、番組コンテンツを有する放送局サーバとの間でネットワークを介しデータ通信を行う通信部と、放送局サーバとは別に設けられた、番組コンテンツが記録される番組コンテンツ記憶部と、番組コンテンツの記録先を管理し、番組コンテンツの取得要求に応じて、番組コンテンツ記憶部が当該番組コンテンツを記憶している場合は番組コンテンツ記憶部を示す記録先情報を供給し、番組コンテンツ記憶部が当該番組コンテンツを記憶していない場合は放送局サーバを示す記録先情報を供給する記録管理部と、電子番組表から再生すべき番組コンテンツが選択されると、番組コンテンツの取得要求を記録管理部へ送出し、当該再生すべき番組コンテンツの記録先情報を記録管理部から取得して、当該記録先情報により示される番組コンテンツ記憶部又は放送局サーバから当該番組コンテンツを取得し再生する再生制御部とを有する再生装置とを設けるようにした。
【００１１】
これにより本発明の番組コンテンツ送受信システムにおいては、ユーザに番組コンテンツ記録先を指定させることなく、電子番組表によりユーザ所望の番組コンテンツの録画、再生を行うことができる。
【発明の効果】
【００１２】
本発明によれば、再生装置及び番組コンテンツ送受信システムはユーザに番組コンテンツ記録先を指定させることなく、電子番組表によりユーザ所望の番組コンテンツの録画、再生を行うことができる。かくして本発明は、複数の番組コンテンツ記録先を有する再生装置において、番組コンテンツを容易に選択し得る再生装置及び番組コンテンツ送受信システムを実現できる。
【図面の簡単な説明】
【００１３】
【図１】番組コンテンツ送受信システムの全体構成を示す略線図である。
【図２】テレビジョン装置の全体構成を示すブロック図である。
【図３】電子番組表を示す略線図である。
【図４】番組コンテンツ送受信システムによる番組記録処理手順を示すシーケンスチャートである。
【図５】テレビジョン装置による番組再生処理手順を示すフローチャートである。
【図６】録画管理サーバによるＵＲＬ送信処理手順を示すフローチャートである。
【図７】番組コンテンツ送受信システムによる番組再生処理手順を示すシーケンスチャートである。
【発明を実施するための形態】
【００１４】
以下、発明を実施するための形態（以下実施の形態とする）について説明する。なお、説明は以下の順序で行う。
１．実施の形態
２．他の実施の形態
【００１５】
＜１．第１の実施の形態＞
［１−１．番組コンテンツ送受信システムの全体構成］
図１に示すように、本発明の一実施の形態としての番組コンテンツ送受信システム１は、主にテレビジョン装置１０、録画管理サーバ１１、放送局コンテンツサーバ１２及びユーザコンテンツサーバ１３により構成されている。
【００１６】
録画管理サーバ１１、放送局コンテンツサーバ１２及びユーザコンテンツサーバ１３はそれぞれ固有のＵＲＬ（Uniform Resource Locator）が割り当てられており、インターネットＮＴを介して外部に設けられた機器よりアクセス可能に構成されている。
【００１７】
録画管理サーバ１１の制御部１４は、番組コンテンツごとに、番組ＩＤ、記録先情報及び録画状況を対応付けた番組管理情報を記憶部１５に記憶させ、管理している。番組ＩＤは、全ての番組コンテンツにそれぞれ固有に割り当てられたＩＤである。
【００１８】
記録先情報には、放送局コンテンツサーバ１２又はユーザコンテンツサーバ１３のＵＲＬが含まれており、番組ＩＤに対応する番組コンテンツがいずれのサーバに記録されているかを示している。
【００１９】
録画状況は、テレビジョン装置１０の制御部２０がユーザコンテンツサーバ１３への番組コンテンツの録画を待機しているか、録画中か、録画が完了されたかを示している。録画中の場合は、録画する番組コンテンツの総録画時間に対する、録画を完了した時間も録画状況に含まれている。
【００２０】
録画管理サーバ１１はテレビジョン装置１０からのアクセスに応じて、録画状況と、記録先情報としての放送局コンテンツサーバ１２又はユーザコンテンツサーバ１３のＵＲＬを返信する。
【００２１】
ユーザコンテンツサーバ１３はテレビジョン装置１０の外部の記憶媒体として設けられており、制御部１８の制御により、テレビジョン装置１０からインターネットＮＴを介して番組コンテンツを受信し、記憶部１９に記録する。
【００２２】
テレビジョン装置１０はルータ３１を介してインターネットＮＴに接続されており、内部に上記録画管理サーバ１１のＵＲＬを保有している。
【００２３】
またテレビジョン装置１０は、外部に設けられたユーザコンテンツサーバ１３を番組コンテンツの記憶媒体として使用するため、内部に番組コンテンツを記録する大容量の記憶部を有していない。
【００２４】
さらにテレビジョン装置１０は、放送局コンテンツサーバ１２及びユーザコンテンツサーバ１３のＵＲＬを保有せず、また番組コンテンツの録画状況等も管理せずに、録画管理サーバ１１にアクセスすることで、当該ＵＲＬや録画状況等を取得する。
【００２５】
ここでテレビジョン装置１０は、ユーザにより番組の録画操作がされ、番組コンテンツを記録する際、放送局（図示せず）からのテレビジョン放送信号をアンテナ２３により受信する。続いてテレビジョン装置１０は、当該テレビジョン放送信号に各種信号処理等を施し、録画管理サーバ１１にアクセスしてユーザコンテンツサーバ１３のＵＲＬを取得し、外部の記憶媒体であるユーザコンテンツサーバ１３に送信して記録させる。
【００２６】
放送局コンテンツサーバ１２は、過去にテレビジョン放送を行った全ての放送チャンネルの番組コンテンツを全て記憶部１７に有している。さらに放送局コンテンツサーバ１２は、制御部１６の制御により、例えばユーザが録画し忘れた番組を視聴したい際に、テレビジョン装置１０からのリクエストに応じて番組コンテンツをストリーミング配信する。
【００２７】
一方テレビジョン装置１０は番組コンテンツを再生する際、録画管理サーバ１１にアクセスして、所望の番組コンテンツが記録されているサーバのＵＲＬを取得する。さらにテレビジョン装置１０は、当該サーバのＵＲＬを有しているサーバ（放送局コンテンツサーバ１２又はユーザコンテンツサーバ１３）にアクセスすることで、ユーザ所望の番組コンテンツを受信する。
【００２８】
ところで番組コンテンツ送受信システム１において、事前にユーザによりユーザコンテンツサーバ１３に記録された番組コンテンツを、その後ユーザがテレビジョン装置１０に受信して再生するときは、ユーザに対し番組コンテンツ視聴料金が課金されることはない。
【００２９】
しかし、例えばユーザが、録画し忘れた番組をその後放送局コンテンツサーバ１２から受信するときは、番組コンテンツ視聴料金を支払う必要がある。
【００３０】
このようにテレビジョン装置１０は、各種サーバに対するクライアントとして、インターネットＮＴを介して当該各種サーバと情報や番組コンテンツの送受信を行うようになされている。
【００３１】
［１−２．テレビジョン装置の構成］
［１−２−１．サーバへの番組コンテンツの送信］
図２に示すようにテレビジョン装置１０は、ＣＰＵ（Central Processing Unit）構成でなる制御部２０を有している。制御部２０は、不揮発性メモリ２１に格納された基本プログラムや番組コンテンツ送受信プログラム等の各種アプリケーションプログラムに従って各種処理を実行するようになされている。
【００３２】
テレビジョン装置１０は、操作部２２を介してユーザによる操作を受け付ける。操作部２２は、ユーザにより操作がなされると、所定の操作信号を制御部２０へ供給する。このとき制御部２０は、当該操作信号に応じて各種処理を実行するようになされている。
【００３３】
以下では、テレビジョン装置１０がアンテナ２３を介してテレビジョン放送信号を受信し、当該テレビジョン放送信号に基づく番組コンテンツをユーザコンテンツサーバ１３（図１）へ送信して記録させる場合について説明する。
【００３４】
テレビジョン装置１０はユーザ操作により番組を録画するよう指示がされると、制御部２０による制御に基づき、テレビジョン放送の放送局（図示せず）からアンテナ２３を介して受信したデジタルテレビジョン放送信号をチューナ２４に供給する。
【００３５】
デジタルテレビジョン放送信号は、全ての放送チャンネルの放送信号が時分割多重化され、１つの多重化テレビジョン放送信号として送信されている。以下では当該デジタルテレビジョン放送信号を、テレビジョン放送信号と呼ぶ。
【００３６】
チューナ２４は制御部２０による制御に基づき、時分割多重化されたテレビジョン放送信号から、ユーザ操作により指定された放送チャンネルの放送信号を抽出し、さらに当該抽出した放送チャンネル信号に対して復調処理を施すことによりトランスポートストリームＴＳ１を生成し、デスクランブラ２５に供給する。
【００３７】
デスクランブラ２５は、テレビジョン装置１０に設けられたカードスロット（図示せず）に装着されたＩＣ(Integrated Circuit)カードからデスクランブル用のスクランブルキーデータを読み出し、トランスポートストリームＴＳ１に対してデスクランブルを施す。これによりデスクランブラ２５は復号化されたトランスポートストリームＴＳ２を生成し、デマルチプレクサ２６に供給する。
【００３８】
デマルチプレクサ２６は、トランスポートストリームＴＳ２から映像データＤＶ、音声データＤＡ、メタデータＤＭ及びＥＰＧデータＤＥを分離する。続いてデマルチプレクサ２６は、映像データＤＶ及び音声データＤＡを切替スイッチ２７に供給すると共に、番組情報としてメタデータＤＭ及びＥＰＧデータＤＥを制御部２０に供給する。
【００３９】
ＥＰＧデータＤＥには、例えば、放送予定の番組の情報として、番組ＩＤ、放送局名、チャンネル番号、放送日時（放送開始時刻及び放送終了時刻を含む）、放送時間（放送開始時刻から放送終了時刻までの放送時間）、番組名、ジャンル、番組概要、番組詳細、出演者等が含まれている。
【００４０】
またメタデータＤＭには、放送予定の番組に関する、放送局のロゴ画像、番組のサムネイル画像、ビットレート情報、解像度情報等が含まれている。
【００４１】
ビットレート情報とは  映像データＤＶ及び音声データＤＡを圧縮した後の必要な帯域を示すビットレートの情報である。解像度情報とは  映像データＤＶに基づく映像の解像度の情報を示し、解像度としては例えばＨＤ（High Definition）やＳＤ（Standard Definition）等がある。
【００４２】
これに応じて制御部２０は、取得したＥＰＧデータＤＥ及びメタデータＤＭを不揮発性メモリ２１に記録して蓄積していく。また制御部２０は、ＥＰＧデータＤＥ及びメタデータＤＭを番組の放送終了後も保存しておくようになされている。
【００４３】
切替スイッチ２７は制御部２０の制御に基づき、供給されたデータの伝送先をマルチプレクサ２８に切り替え、デマルチプレクサ２６から供給された映像データＤＶ及び音声データＤＡをマルチプレクサ２８に供給する。
【００４４】
マルチプレクサ２８は映像データＤＶ及び音声データＤＡを時分割多重化することにより、これらを所定の多重化コンテナフォーマットでなるトランスポートストリームＴＳ３としネットワーク処理部２９に供給する。
【００４５】
ネットワーク処理部２９は、トランスポートストリームＴＳ３にＴＣＰ／ＩＰ等のプロトコル処理を施してＡＶデータＤＡＶとし、バッファ３０に供給する。バッファ３０に供給されたＡＶデータＤＡＶはルータ３１を介して、インターネットＮＴに接続されたユーザコンテンツサーバ１３に送信される。
【００４６】
ところで、インターネットＮＴへ送信する際の帯域の制限等により、ユーザコンテンツサーバ１３に送信するＡＶデータＤＡＶの帯域を減少させる必要がある場合、切替スイッチ２７は制御部２０の制御に基づき、デマルチプレクサ２６から供給されたデータの伝送先をＡＶデコーダ３２に切り替える。
【００４７】
続いて切替スイッチ２７は、デマルチプレクサ２６から供給された映像データＤＶ及び音声データＤＡをＡＶデコーダ３２に供給する。
【００４８】
ＡＶデコーダ３２は、映像データＤＶ及び音声データＤＡを復号化することにより映像信号ＳＶ及び音声信号ＳＡを生成し、ＡＶエンコーダ３３に供給する。
【００４９】
ＡＶエンコーダ３３は、映像信号ＳＶ及び音声信号ＳＡの圧縮効率をより高くして圧縮符号化処理を施し、またはビットレートを絞って圧縮符号化処理を施し、映像データＤＶ及び音声データＤＡを生成してマルチプレクサ２８に供給する。
【００５０】
マルチプレクサ２８は、映像データＤＶ及び音声データＤＡから所定の多重化コンテナフォーマットでなるトランスポートストリームＴＳ３を生成しネットワーク処理部２９に供給する。
【００５１】
ネットワーク処理部２９は、トランスポートストリームＴＳ３にＴＣＰ／ＩＰ等のプロトコル処理を施してＡＶデータＤＡＶとし、バッファ３０及びルータ３１を介して、インターネットＮＴに接続されたユーザコンテンツサーバ１３（図１）に送信する。
【００５２】
このようにテレビジョン装置１０は、番組コンテンツを録画する際、アンテナ２３を介してテレビジョン放送信号を受信する。続いてテレビジョン装置１０は当該テレビジョン放送信号に含まれるＥＰＧデータＤＥ及びメタデータＤＭを不揮発性メモリ２１に記録して蓄積する。それと共にテレビジョン装置１０は、当該テレビジョン放送信号に基づく番組コンテンツをユーザコンテンツサーバ１３へ送信し記録させるようになされている。
【００５３】
［１−２−２．番組コンテンツの再生］
一方テレビジョン装置１０はユーザ操作により番組コンテンツを再生するよう指示がされると、外部の放送局コンテンツサーバ１２又はユーザコンテンツサーバ１３に記録された番組コンテンツを取得し、各種処理を行った上で当該番組コンテンツの映像をディスプレイ３５に表示させる。
【００５４】
テレビジョン装置１０は、放送局コンテンツサーバ１２又はユーザコンテンツサーバ１３から番組コンテンツを受信し取得するようになされているが、以下では、ユーザコンテンツサーバ１３から番組コンテンツを受信してストリーミング再生する場合について説明する。
【００５５】
テレビジョン装置１０は制御部２０による制御に基づき、インターネットＮＴに接続されたユーザコンテンツサーバ１３からルータ３１を介して受信した、番組コンテンツのＡＶデータＤＡＶをバッファ３０に供給する。
【００５６】
バッファ３０は供給されたＡＶデータＤＡＶをネットワーク処理部２９に供給する。ネットワーク処理部２９はＡＶデータＤＡＶをトランスポートストリームＴＳ４へ変換し、デマルチプレクサ３７へ供給する。
【００５７】
デマルチプレクサ３７は、トランスポートストリームＴＳ４から映像データＤＶ及び音声データＤＡを分離し、それらを切替スイッチ２７に供給する。
【００５８】
切替スイッチ２７は制御部２０の制御に基づき、供給されたデータの伝送先をＡＶデコーダ３２に切り替え、デマルチプレクサ３７から供給された映像データＤＶ及び音声データＤＡをＡＶデコーダ３２に供給する。
【００５９】
ＡＶデコーダ３２は、映像データＤＶ及び音声データＤＡを復号化することにより映像信号ＳＶ及び音声信号ＳＡを生成し、映像信号ＳＶを表示制御部３４に、音声信号ＳＡを図示しないスピーカに供給する。
【００６０】
表示制御部３４は供給された映像信号ＳＶに基づき画面信号を生成してディスプレイ３５に出力することにより、映像信号ＳＶに基づく番組映像をディスプレイ３５に表示させる。
【００６１】
以上、テレビジョン装置１０が番組コンテンツをユーザコンテンツサーバ１３から受信してストリーミング再生する場合について説明した。一方番組コンテンツを放送局コンテンツサーバ１２から受信する場合も、テレビジョン装置１０は上述した処理を行い、当該番組コンテンツのストリーミング再生を行う。
【００６２】
因みに、テレビジョン装置１０がユーザ操作によりテレビジョン放送信号の受信指示を受けたときは、制御部２０の制御に基づきアンテナ２３を介してテレビジョン放送信号を受信し、切替スイッチ２７をＡＶデコーダ３２に切り替えることで、当該テレビジョン放送信号に基づく番組コンテンツを再生し、ディスプレイ３６に表示させる。このときも制御部２０は、取得したＥＰＧデータＤＥ及びメタデータＤＭを不揮発性メモリ２１に記録して蓄積していく。
【００６３】
このようにテレビジョン装置１０は、ルータ３１を介して番組コンテンツのＡＶデータＤＡＶを所定のサーバから受信してディスプレイ３５に表示することでストリーミング再生を行うようになされている。
【００６４】
［１−３．電子番組表の構成］
ところでユーザ操作により、電子番組表をディスプレイ３５に表示させるよう指示があった場合、制御部２０は不揮発性メモリ２１に蓄積したＥＰＧデータＤＥ及びメタデータＤＭに基づいて電子番組表データを生成して、表示制御部３４に供給する。
【００６５】
表示制御部３４は供給された電子番組表データに基づき画面信号を生成してディスプレイ３５に出力することにより、図３に示す電子番組表１００をディスプレイ３５に表示させる。
【００６６】
電子番組表１００は、放送チャンネルごとに時系列に従って、番組コンテンツに関する情報を示す番組情報表示欄ＳＰＧが表形式で配置されている。それぞれの番組情報表示欄ＳＰＧには、メタデータＤＭに含まれていたロゴ画像又はサムネイル画像が番組画像ＰＰとして、またＥＰＧデータＤＥに含まれていた番組概要が、番組内容解説ＰＤとして表示されている。
【００６７】
ここで電子番組表１００は、不揮発性メモリ２１に蓄積した過去のＥＰＧデータＤＥに含まれる前日の電子番組表１００Ｙと、未来の放送スケジュールを示す最新のＥＰＧデータＤＥに含まれる本日の電子番組表１００Ｔとが組み合わされて、一体に表示される。
【００６８】
電子番組表１００には番組コンテンツに関する情報が番組情報表示欄ＳＰＧ１及びＳＰＧ２として表示され、他の番組コンテンツについても同様に表示されている。以下、番組情報表示欄ＳＰＧ１及びＳＰＧ２により示される番組を番組ＧＰ１及びＧＰ２と呼ぶ。
【００６９】
また電子番組表１００は、放送スケジュール等を表すだけでなく、当該電子番組表１００がユーザに操作されることにより、再生する番組及び録画予約を行う番組を選択させ得るようにもなされている。
【００７０】
ここでユーザ操作により電子番組表１００から所定の番組情報表示欄ＳＰＧが選択されると、制御部２０は当該番組情報表示欄ＳＰＧによる示される番組ＧＰが指定されたと認識する。電子番組表１００から所定の番組情報表示欄ＳＰＧが選択され、さらに録画予約が行われると、制御部２０は当該録画予約が行われた番組の放送開始時刻まで録画を待機する。因みにユーザが録画予約を行う際、ビットレートや解像度等を指定することも可能であり、それらの情報は番組ＩＤと対応付けて不揮発性メモリ２１に記録される。
【００７１】
さらに電子番組表１００を表示させる場合、制御部２０は録画管理サーバ１１にアクセスし、電子番組表１００に表示させる番組コンテンツの録画状況を取得する。
【００７２】
続いて制御部２０は、取得した録画状況に基づき、電子番組表１００における録画予約が行われた番組それぞれの番組情報表示欄ＳＰＧに、番組コンテンツのユーザコンテンツサーバ１３への録画状況を示す録画ステータスＲＳを表示するよう電子番組表データを生成する。続いて制御部２０は当該電子番組表データを表示制御部３４に供給する。
【００７３】
表示制御部３４は供給された電子番組表データに基づき画面信号を生成してディスプレイ３５に出力することにより、図３に示す電子番組表１００をディスプレイ３５に表示させる。
【００７４】
ここで現在の時刻を現在時刻ＣＴとすると、現在時刻ＣＴはまだ番組ＰＧ１の放送開始時刻に達していない。このため、番組情報表示欄ＳＰＧ１の番組画像ＰＰ及び番組内容解説ＰＤの下部に表示された録画ステータスＲＳには、記録待機中マークとして、放送開始時刻まで録画開始を待機している状態を表す録画待機中の文字と、内部が塗りつぶされていない録画ステータスバーＲＢが表示される。
【００７５】
［１−４．サーバへの番組コンテンツ記録手順］
次に、番組コンテンツ送受信システム１において、テレビジョン装置１０がユーザコンテンツサーバ１３に番組コンテンツを記録させる際の番組記録処理手順ＲＴ１について、番組ＰＧ２を例に図４に示すシーケンスチャートを用いて説明する。
【００７６】
番組情報表示欄ＳＰＧ２（図３）により示される番組ＰＧ２の放送開始時刻になるとテレビジョン装置１０の制御部２０は、番組記録処理手順ＲＴ１におけるステップＳＰ１に移る。
【００７７】
ステップＳＰ１において制御部２０は、番組ＰＧ２の放送開始時刻から放送終了時刻までの放送時間、解像度情報及びビットレート情報を不揮発性メモリ２１から読み出す。続いて制御部２０は当該放送時間を録画時間情報として、また解像度情報及びビットレート情報を録画管理サーバ１１に送信する。それと共に制御部２０は、録画リクエストを録画管理サーバ１１に送信する。
【００７８】
一方、ステップＳＰ２において録画管理サーバ１１の制御部１４（図１）は、録画時間情報、解像度情報、ビットレート情報及び録画リクエストを受信し、ユーザコンテンツサーバ１３のＵＲＬを記憶部１５から読み出しテレビジョン装置１０に送信する。続いて制御部１４は、番組管理情報において番組ＰＧ２の記録先情報をユーザコンテンツサーバ１３に更新する。
【００７９】
ステップＳＰ３においてテレビジョン装置１０の制御部２０は、ユーザコンテンツサーバ１３のＵＲＬを受信し、ステップＳＰ４に移る。
【００８０】
ステップＳＰ４において制御部２０は、受信したユーザコンテンツサーバ１３のＵＲＬを参照し、ユーザコンテンツサーバ１３とのセッションを確立するための設定情報をユーザコンテンツサーバ１３に送信する。
【００８１】
ステップＳＰ５においてユーザコンテンツサーバ１３の制御部１８（図１）は、設定情報を受信し、確認通知Ａｃｋをテレビジョン装置１０に送信する。
【００８２】
ステップＳＰ６においてテレビジョン装置１０の制御部２０は、記録する番組コンテンツの情報として、録画時間情報、解像度情報及びビットレート情報をユーザコンテンツサーバ１３に送信する。
【００８３】
ステップＳＰ７においてユーザコンテンツサーバ１３の制御部１８は、録画時間情報、解像度情報及びビットレート情報を受信し、確認通知Ａｃｋをテレビジョン装置１０に送信する。
【００８４】
ステップＳＰ８においてテレビジョン装置１０の制御部２０は、記録する番組コンテンツのＡＶデータＤＡＶをユーザコンテンツサーバ１３に送信する。これに応じてユーザコンテンツサーバ１３の制御部１８は、当該ＡＶデータＤＡＶを受信し記憶部１９に記録する。
【００８５】
ここで録画管理サーバ１１の制御部１４は、テレビジョン装置１０からのユーザコンテンツサーバ１３への番組コンテンツの録画状況を常に確認し、テレビジョン装置１０は随時録画管理サーバ１１から番組コンテンツの録画状況を受信する（図示せず）。
【００８６】
制御部２０は、録画する番組コンテンツのＡＶデータＤＡＶを全てユーザコンテンツサーバ１３に送信すると、ステップＳＰ９において送信終了通知ＳＴＯＰをユーザコンテンツサーバ１３に送信する。
【００８７】
ステップＳＰ１０においてユーザコンテンツサーバ１３の制御部１８は、送信終了通知ＳＴＯＰを受信して確認通知Ａｃｋをテレビジョン装置１０に送信し、番組コンテンツのＡＶデータＤＡＶの受信を完了する。
【００８８】
このように番組コンテンツ送受信システム１において録画管理サーバ１１の制御部１４は、番組コンテンツを記録するユーザコンテンツサーバ１３のＵＲＬをテレビジョン装置１０に送信するようになされている。
【００８９】
これに応じてテレビジョン装置１０の制御部２０は上記ＵＲＬにより指定されるユーザコンテンツサーバ１３にアクセスし、番組コンテンツのＡＶデータＤＡＶを送信することにより、番組コンテンツをユーザコンテンツサーバ１３に記録するようになされている。
【００９０】
ところで、上述したように録画管理サーバ１１の制御部１４は、テレビジョン装置１０からのユーザコンテンツサーバ１３への番組コンテンツの録画状況を常に把握し管理している。
【００９１】
ユーザ操作により電子番組表１００を表示させるよう指示があった場合、テレビジョン装置１０の制御部２０は、録画管理サーバ１１にアクセスし、電子番組表１００に表示させる番組コンテンツの録画状況を取得する。
【００９２】
上述したステップＳＰ８において制御部２０は、番組ＰＧ２の総録画時間に対する録画完了時間の割合を、電子番組表１００（図３）の番組情報表示欄ＳＰＧ２における録画ステータスＲＳの表示を変化させることによりユーザに提示する。
【００９３】
具体的には制御部２０は、記録中マークとして、録画中の文字を表示して、番組ＰＧ２の番組情報表示欄ＳＰＧ２における録画ステータスＲＳの表示を随時更新し、番組ＰＧ２の録画時間における現在記録された割合が増えるほど、録画ステータスバーＲＢ内部の黒く塗りつぶされている領域を右側へ広げるよう表示する。
【００９４】
また、電子番組表１００（図３）の番組情報表示欄ＳＰＧ３及びＳＰＧ４により示される番組ＰＧ３及びＰＧ４は、前日に放送された番組である。制御部２０は、事前にユーザ操作により録画予約が行われ、上述した番組記録処理手順ＲＴ１を実行することにより、番組ＰＧ３及びＰＧ４のユーザコンテンツサーバ１３への記録を完了している。
【００９５】
そのような録画が完了した番組について、制御部２０は、図３に示すように記録完了マークとしての録画完了マークＲＭを番組情報表示欄ＳＰＧ３及びＳＰＧ４における番組画像ＰＰ及び番組内容解説ＰＤの下部に表示する。
【００９６】
［１−５．サーバからの番組コンテンツ再生手順］
次に、テレビジョン装置１０が所定のサーバから番組コンテンツを受信し、再生する際の番組再生処理手順ＲＴ２について、図５に示すフローチャートを用いて説明する。
【００９７】
ステップＳＰ２０においてテレビジョン装置１０の制御部２０は、ユーザ操作により電子番組表１００から所定の番組情報表示欄ＳＰＧが選択された上で番組ＧＰの再生指示があったか否かを判定する。ここで否定結果が得られると、制御部２０はステップＳＰ２０に戻り、再びユーザからの番組ＧＰの再生指示を待ち受ける。
【００９８】
ステップＳＰ２０において肯定結果が得られると、制御部２０は次のステップＳＰ２１に移り、ユーザにより指定された番組に割り当てられている番組ＩＤを不揮発性メモリ２１から読み出して録画管理サーバ１１に送信し、ステップＳＰ２２に移る。
【００９９】
録画管理サーバ１１の制御部１４は、番組ＩＤと対応付けて、当該番組ＩＤに対応する番組コンテンツが記憶されているサーバのＵＲＬを記録先情報として有している。ステップＳＰ２２において制御部２０は、録画管理サーバ１１から、ステップＳＰ２２において送信した番組ＩＤに対応する番組の番組コンテンツが記録されているサーバのＵＲＬを受信したか否かを判定する。ここで否定結果が得られると、制御部２０はステップＳＰ２２に戻り、再び録画管理サーバ１１からＵＲＬが送信されるのを待ち受ける。
【０１００】
ステップＳＰ２２において肯定結果が得られると、制御部２０は次のステップＳＰ２３に移り、ステップＳＰ２２において受信したＵＲＬにより示されるサーバにアクセスし（詳しくは後述する）、番組コンテンツを受信しながらストリーミング再生を行う。その後制御部２０はステップＳＰ２４に移り、番組再生処理手順ＲＴ２を終了する。
【０１０１】
このようにテレビジョン装置１０は番組を再生する際、番組コンテンツを管理している録画管理サーバ１１から当該番組コンテンツを記憶しているサーバのＵＲＬを取得し、当該ＵＲＬにより示されるサーバより番組コンテンツを受信して再生するようになされている。
【０１０２】
次に、録画管理サーバ１１がテレビジョン装置１０から番組ＩＤを受信し、当該番組ＩＤに対応する番組コンテンツが記録されているサーバのＵＲＬをテレビジョン装置１０に送信する際のＵＲＬ送信処理手順ＲＴ３について、図６に示すフローチャートを用いて説明する。
【０１０３】
ステップＳＰ３０において録画管理サーバ１１の制御部１４は、テレビジョン装置１０から番組ＩＤを受信したか否かを判定する。ここで否定結果が得られると、制御部１４はステップＳＰ３０に戻り、再びテレビジョン装置１０からの番組ＩＤの送信を待ち受ける。
【０１０４】
ステップＳＰ３０において肯定結果が得られると、制御部１４は次のステップＳＰ３１に移り、ステップＳＰ３０において受信した番組ＩＤに対応する番組コンテンツがユーザコンテンツサーバ１３に記録されているか否かを判定する。
【０１０５】
このとき、既にテレビジョン放送された番組であってユーザコンテンツサーバ１３に記録されている番組は、電子番組表１００（図３）の番組情報表示欄ＳＰＧ３及びＳＰＧ４に示すように、録画完了マークＲＭが表示されている。
【０１０６】
ここで肯定結果が得られると、制御部１４はステップＳＰ３２に移り、番組ＩＤに対応する番組の番組コンテンツが記録されているユーザコンテンツサーバ１３のＵＲＬをテレビジョン装置１０に送信し、ステップＳＰ３４に移りＵＲＬ送信処理手順ＲＴ３を終了する。
【０１０７】
一方ステップＳＰ３１において否定結果が得られると、制御部１４はステップＳＰ３３に移り、番組ＩＤに対応する番組の番組コンテンツが記録されている放送局コンテンツサーバ１２のＵＲＬをテレビジョン装置１０に送信し、ステップＳＰ３４に移りＵＲＬ送信処理手順ＲＴ３を終了する。
【０１０８】
上述したように番組コンテンツ送受信システム１では、放送局コンテンツサーバ１２から番組コンテンツを受信する場合、番組コンテンツ視聴料金が課金される。
【０１０９】
このとき制御部１４は、ＵＲＬ送信処理手順ＲＴ３において、ユーザコンテンツサーバ１３にユーザ所望の番組コンテンツが記録されているか否かを判定する。
【０１１０】
これにより制御部１４は、ユーザが番組コンテンツを受信しても番組コンテンツ視聴料金が課金されることがない、ユーザコンテンツサーバ１３に記憶されている番組コンテンツを優先的に指定することができる。
【０１１１】
次に、番組コンテンツ送受信システム１において、テレビジョン装置１０が、録画管理サーバ１１により指定されたサーバから番組コンテンツを受信する際の番組再生処理手順ＲＴ４について、図７に示すシーケンスチャートを用いて説明する。
【０１１２】
因みにテレビジョン装置１０は、放送局コンテンツサーバ１２又はユーザコンテンツサーバ１３から番組コンテンツを受信するようになされているが、以下では、ユーザコンテンツサーバ１３から番組コンテンツを受信する場合について説明する。
【０１１３】
番組再生処理手順ＲＴ４は、図５に示したテレビジョン装置１０による番組再生処理手順ＲＴ２を実行するときにおける、テレビジョン装置１０と録画管理サーバ１１及びユーザコンテンツサーバ１３との間の処理シーケンスについて詳細に示している。
【０１１４】
電子番組表１００（図３）において例えば番組情報表示欄ＳＰＧ３により示される番組ＰＧ３がユーザにより選択された上で再生指示がされると、テレビジョン装置１０の制御部２０は、番組再生処理手順ＲＴ４におけるステップＳＰ４１に移る。
【０１１５】
ステップＳＰ４１において制御部２０は、番組ＰＧ３の番組ＩＤを不揮発性メモリ２１から読み出し録画管理サーバ１１に送信する。これと共に制御部２０は、再生リクエストを録画管理サーバ１１に送信する。
【０１１６】
一方、ステップＳＰ４２において録画管理サーバ１１の制御部１４（図１）は、番組ＩＤ及び再生リクエストを受信し、ユーザコンテンツサーバ１３のＵＲＬを記憶部１５から読み出しテレビジョン装置１０に送信する。
【０１１７】
ステップＳＰ４３においてテレビジョン装置１０の制御部２０は、ユーザコンテンツサーバ１３のＵＲＬを受信し、ステップＳＰ４４に移る。
【０１１８】
ステップＳＰ４４において制御部２０は、受信したユーザコンテンツサーバ１３のＵＲＬを参照し、ユーザコンテンツサーバ１３とのセッションを確立するための設定情報をユーザコンテンツサーバ１３に送信する。
【０１１９】
ステップＳＰ４５においてユーザコンテンツサーバ１３の制御部１８（図１）は、設定情報を受信し、確認通知Ａｃｋをテレビジョン装置１０に送信する。
【０１２０】
ステップＳＰ４６においてテレビジョン装置１０の制御部２０は、番組コンテンツの再生、一時停止、早送り、巻き戻し等の操作を示す再生操作情報をユーザコンテンツサーバ１３に送信する。
【０１２１】
ステップＳＰ４７においてユーザコンテンツサーバ１３の制御部１８は、再生操作情報を受信し、確認通知Ａｃｋをテレビジョン装置１０に送信する。
【０１２２】
ステップＳＰ４８において制御部１８は、番組コンテンツのＡＶデータＤＡＶのテレビジョン装置１０への送信を開始する。ここで、例えば上記再生操作情報により早送りが指示されていた場合、制御部１８は早送り状態にされたＡＶデータＤＡＶをテレビジョン装置１０に送信する。
【０１２３】
テレビジョン装置１０の制御部２０は、ユーザ操作による指示により番組コンテンツの再生を停止したか、または再生させる番組コンテンツのＡＶデータＤＡＶを全て受信した場合、ステップＳＰ４９において受信終了通知ＳＴＯＰをユーザコンテンツサーバ１３に送信する。
【０１２４】
ステップＳＰ５０においてユーザコンテンツサーバ１３の制御部１８は、受信終了通知ＳＴＯＰを受信して確認通知Ａｃｋをテレビジョン装置１０に送信し、番組コンテンツのＡＶデータＤＡＶの送信を完了する。
【０１２５】
このように番組コンテンツ送受信システム１において録画管理サーバ１１の制御部１４は、ユーザ操作により再生が選択された番組コンテンツが記録されているユーザコンテンツサーバ１３のＵＲＬを、テレビジョン装置１０に送信する。
【０１２６】
これに応じてテレビジョン装置１０の制御部２０は、上記ＵＲＬにより指定されるユーザコンテンツサーバ１３にアクセスしＡＶデータＤＡＶを受信することにより、当該ＡＶデータＤＡＶに基づく番組コンテンツをストリーミング再生するようになされている。
【０１２７】
一方、例えば電子番組表１００（図３）において番組情報表示欄ＳＰＧ５には録画完了マークＲＭが表示されておらず、ユーザコンテンツサーバ１３にはユーザ所望の番組コンテンツが記録されていない。
【０１２８】
ここで、番組情報表示欄ＳＰＧ５により示される番組ＰＧ５がユーザ操作により選択された上で再生指示がされた場合、テレビジョン装置１０は放送局コンテンツサーバ１２から番組コンテンツを受信する。このとき番組コンテンツ送受信システム１は、テレビジョン装置１０、録画管理サーバ１１及び放送局コンテンツサーバ１２により番組再生処理手順ＲＴ４と同様の処理を実行する。  
【０１２９】
録画管理サーバ１１は、ステップＳＰ４２においてユーザ所望の番組コンテンツを有している放送局コンテンツサーバ１２のＵＲＬをテレビジョン装置１０に送信する。また録画管理サーバ１１は、ユーザコンテンツサーバ１３と同様に処理シーケンスを実行する。
【０１３０】
この結果テレビジョン装置１０の制御部２０は、放送局コンテンツサーバ１１にアクセスしＡＶデータＤＡＶを受信することにより、当該ＡＶデータＤＡＶに基づく番組コンテンツをストリーミング再生するようになされている。
【０１３１】
［１−６．動作及び効果］
以上の構成においてテレビジョン装置１０は、アンテナ２３によりテレビジョン放送信号を受信し、外部に設けられたユーザコンテンツサーバ１３に番組コンテンツを記録するようにした。
【０１３２】
これによりテレビジョン装置１０は、内部に設けるハードディスク等の大容量の記憶部を省略することができ、テレビジョン装置１０のコストを低額化させることができる。またテレビジョン装置１０に搭載可能なハードディスク等の記憶容量は限られるが、例えば複数のユーザコンテンツサーバ１３を用意するなどすれば、テレビジョン装置１０は、極めて大容量な記憶部を、内部に搭載せずに利用することができる。
【０１３３】
またテレビジョン装置１０は電子番組表１００をディスプレイ３５に表示し、電子番組表１００においてユーザにより所望の番組の録画が指示されると、録画管理サーバ１１から取得したＵＲＬにより示されるユーザコンテンツサーバ１３に当該番組を記録させるようにした。
【０１３４】
さらにテレビジョン装置１０は、電子番組表１００においてユーザにより所望の番組の再生指示がされると、録画管理サーバ１１から取得したＵＲＬにより示されるサーバから当該番組を受信するようにした。
【０１３５】
このためユーザは、電子番組表１００において所望の番組を選択するだけで記録再生処理を指示できる。
【０１３６】
さらにテレビジョン装置１０は、テレビジョン放送信号に含まれるＥＰＧデータＤＥ及びメタデータＤＭを不揮発性メモリ２１に記録して蓄積し、番組の放送終了後も保存しておくようにした。
【０１３７】
これによりテレビジョン装置１０は、未来の電子番組表だけでなく、過去の電子番組表を表示することができ、過去における番組を録画したか否かをユーザに提示することができる。
【０１３８】
さらにテレビジョン装置１０は、録画済みの番組コンテンツの記録先をユーザが選択したあと当該録画済みの番組コンテンツを選択する、という手順を経ることなく、電子番組表１００において所望の番組コンテンツを選択し再生するようにした。
【０１３９】
これによりユーザは、録画した番組コンテンツか否かに関わらず、放送された全ての番組コンテンツを電子番組表１００より選択することができる。またユーザは、例えば録画をし忘れた番組コンテンツについても、電子番組表１００には表示されているため、当該番組コンテンツを選択し再生指示をすることで、サーバから受信した番組コンテンツを視聴することができる。
【０１４０】
また録画管理サーバ１１は、番組コンテンツの番組ＩＤと対応付けて、各番組コンテンツがいずれのサーバに記憶されているかを示す記録先情報と、テレビジョン装置１０における番組コンテンツの記録状況としての録画状況を番組管理情報として管理するようにした。さらに録画管理サーバ１１は、テレビジョン装置１０からのアクセスに応じて、所定のサーバのＵＲＬや録画状況等を返信するようにした。
【０１４１】
このためテレビジョン装置１０は、番組コンテンツの記録先や録画状況を管理する必要がなく、それらの情報を必要とするときに、録画管理サーバ１１にアクセスするだけで当該情報を取得することができる。
【０１４２】
これによりユーザは、所望の番組コンテンツの記録先を覚えておく必要もなく、仮に記録先が分からなくなったとしても、探す必要もない。
【０１４３】
さらにテレビジョン装置１０は、電子番組表１００をいわゆるテレビ欄とほぼ同様の表示形態とし、当該電子番組表１００により記録再生処理をユーザが指示できるようにした。
【０１４４】
従来、テレビジョン装置は、設計を行ったメーカや機種ごとに、番組コンテンツを選択する際のユーザインターフェースが異なり、ユーザに操作方法を覚えてもらうというという手間を要していた。
【０１４５】
これに対して本発明では、テレビ欄とほぼ同様の表示形態を有する電子番組表１００により、ユーザがテレビジョン装置１０の設計メーカに関わらずに、慣れ親しんだテレビ欄を見るように所望の番組を選択操作することができる。
【０１４６】
また録画管理サーバ１１は、テレビジョン装置１０が番組コンテンツを再生する際、所望の番組コンテンツの記録先を判定し、ユーザコンテンツサーバ１３を優先的に指定するようにした。
【０１４７】
これによりテレビジョン装置１０は、放送局コンテンツサーバ１２及びユーザコンテンツサーバ１３に同一の番組コンテンツが記録されていたとしても、番組コンテンツ視聴料金を支払う必要のないユーザコンテンツサーバ１３から当該番組コンテンツを受信することができる。
【０１４８】
さらにテレビジョン装置１０は、ユーザコンテンツサーバ１３に記録済みの番組に関しては、電子番組表１００において録画完了マークＲＭを表示し、記録を行っていない番組に関しては録画完了マークＲＭを表示しないようにした。
【０１４９】
これによりテレビジョン装置１０は、録画完了マークＲＭの表示の有無により、電子番組表１００を見ているユーザに対し、課金されない番組コンテンツを優先的に選択させ、あるいは課金されてまで番組コンテンツを視聴するか否かという判断をさせることもできる。
【０１５０】
さらにテレビジョン装置１０は、電子番組表１００における録画予約が行われた番組それぞれの番組情報表示欄ＳＰＧに、番組コンテンツのユーザコンテンツサーバ１３への録画状況を示す録画ステータスＲＳを表示するようにした。
【０１５１】
これによりテレビジョン装置１０は、電子番組表１００により複数の番組の録画状況を、一目にしてユーザに認識させることができる。
【０１５２】
以上の構成によれば録画管理サーバ１１は、番組ＩＤと、テレビジョン装置１０における番組コンテンツの録画状況と、各番組コンテンツがいずれのサーバ（放送局コンテンツサーバ１２又はユーザコンテンツサーバ１３）に記録されているかを示す記録先情報とを対応付けて番組管理情報として管理する。テレビジョン装置１０は過去及び未来の番組が一体に表示された電子番組表１００を表示し、ユーザコンテンツサーバ１３に記録されている番組については録画完了マークＲＭを表示する。一方テレビジョン装置１０は電子番組表１００において番組コンテンツの再生指示がされると、録画管理サーバ１１から再生する番組コンテンツを有しているサーバのＵＲＬを受信し、当該ＵＲＬに示されるサーバから当該番組コンテンツを受信しストリーミング再生を行う。
【０１５３】
これによりテレビジョン装置１０は、ユーザに番組コンテンツ記録先を指定させることなく、電子番組表１００によりユーザ所望の番組コンテンツの録画、再生を行うことができる。
【０１５４】
＜２．他の実施の形態＞
なお上述した実施の形態においては、テレビジョン装置１０は録画予約時刻になるとユーザコンテンツサーバ１３に番組コンテンツを送信して記録させ、またユーザ操作により番組コンテンツの再生指示なされると所定のサーバから番組コンテンツを受信し再生する場合について述べた。
【０１５５】
本発明はこれに限らず、テレビジョン装置１０はテレビジョン放送信号を受信してユーザに視聴させながら、または所定のサーバから番組コンテンツを受信しユーザに視聴させながら、ユーザコンテンツサーバ１３に番組コンテンツを送信して記録させるようにしても良い。
【０１５６】
この場合、テレビジョン装置１０はユーザに番組を視聴させている間も常にユーザコンテンツサーバ１３に番組コンテンツを送信して記録させるようにすれば、所定の放送チャンネルにおける全ての番組コンテンツをユーザコンテンツサーバ１３に記録させることができる。
【０１５７】
さらにこの場合、テレビジョン装置１０が複数のチューナを有していれば、複数の放送チャンネルにおける全ての番組コンテンツをユーザコンテンツサーバ１３に記録させることができる。
【０１５８】
また上述した実施の形態においては、テレビジョン装置１０は、受信したテレビジョン放送信号のビットレートや解像度等は変更せずに、当該テレビジョン放送信号に基づく番組コンテンツをユーザコンテンツサーバ１３（図１）へ送信して記録させる場合について述べた。
【０１５９】
本発明はこれに限らず、テレビジョン装置１０はテレビジョン放送信号のビットレートや解像度等を変更し、ユーザコンテンツサーバ１３に記録させても良い。要はテレビジョン装置１０は、テレビジョン放送信号を、後にユーザが視聴する際の所望の形式に変換し、ユーザコンテンツサーバ１３に記録させれば良い。
【０１６０】
また上述した実施の形態においては、録画管理サーバ１１がテレビジョン装置１０における番組コンテンツの録画状況を管理する場合について述べた。
【０１６１】
本発明はこれに限らず、テレビジョン装置１０の制御部２０が番組コンテンツの録画状況等の管理をするようにしても良い。
【０１６２】
また上述した実施の形態においては、テレビジョン装置１０はハードディスク等の記憶部を内部に有さずに、インターネットＮＴ上のユーザコンテンツサーバ１３に番組コンテンツを送信して記録させる場合について述べた。
【０１６３】
本発明はこれに限らず、テレビジョン装置１０にハードディスク等の記憶部を搭載し、番組コンテンツを当該記憶部に記録するようにしても良い。この場合、テレビジョン装置１０の制御部２０が番組コンテンツの録画状況等の管理をすれば良い。
【０１６４】
さらに上述した実施の形態においては、テレビジョン装置１０は、アンテナ２３を介してテレビジョン放送信号を受信し、番組コンテンツのＡＶデータＤＡＶをユーザコンテンツサーバ１３に送信して記録させる場合について述べた。
【０１６５】
本発明はこれに限らず、テレビジョン装置１０は、テレビジョン放送信号による番組コンテンツと同一の番組コンテンツを記憶している、インターネットＮＴに接続された放送配信サーバから、ルータを介してインターネット放送信号を受信しても良い。さらにこの場合テレビジョン装置１０は、インターネット放送信号に含まれる番組コンテンツを、テレビジョン装置１０を介さずに放送配信サーバからインターネットＮＴを介してユーザコンテンツサーバ１３に送信して記録させるようにしても良い。
【０１６６】
さらに上述した実施の形態においては、テレビジョン装置１０は、デジタル放送でなるテレビジョン放送信号を受信する場合について述べた。
【０１６７】
本発明はこれに限らず、アナログテレビジョン放送信号を受信するようにしても良い。アナログテレビジョン放送では、アナログテレビジョン放送信号の所定の放送チャンネルの放送信号に、全ての放送チャンネルについてのＥＰＧデータが一括して含まれ定期的に送信されている。この場合テレビジョン装置は、当該放送チャンネルを選択するよう設定したチューナにより全ての放送チャンネルについてのＥＰＧデータを抽出すれば良い。
【０１６８】
さらに上述した実施の形態においては、インターネットＮＴ上に放送局コンテンツサーバ１２及びユーザコンテンツサーバ１３がそれぞれ１台ずつ設けられている場合について述べた。
【０１６９】
本発明はこれに限らず、複数の放送局がそれぞれ独自に、インターネットＮＴに接続される放送局コンテンツサーバを設けるようにしても良い。また、インターネットＮＴに接続されるユーザコンテンツサーバが複数設けられていても良い。その場合も、それらのサーバのＵＲＬを録画管理サーバ１１が管理すれば良い。
【０１７０】
この場合録画管理サーバ１１はテレビジョン装置１０から録画リクエストを受信すると、複数存在するユーザコンテンツサーバのうちどこに番組コンテンツを記録させるかを、録画時間情報、解像度情報、ビットレート情報を基に判断する。
【０１７１】
例えば、ユーザコンテンツサーバの記憶部においてまだ記録することができる残りの容量に対して番組コンテンツが記録できるか、またはネットワークの状態（トラフィック等）により、番組コンテンツを記録させるユーザコンテンツサーバを判断し、当該ユーザコンテンツサーバを示すＵＲＬをテレビジョン装置１０に送信する。
【０１７２】
このように複数のユーザコンテンツサーバが設けられている場合も、どのユーザコンテンツサーバに記憶させるかをユーザが判断する必要はない。
【０１７３】
さらに上述した実施の形態においては、テレビジョン装置１０は、電子番組表１００において、録画ステータスＲＳを常に表示させる場合について述べた。
【０１７４】
本発明はこれに限らず、テレビジョン装置１０は、例えばユーザ操作により所定の番組を選択した（フォーカスを合わせた）ときに、当該選択された番組の番組情報表示欄ＳＰＧにのみ録画ステータスＲＳを表示させるようにしても良い。
【０１７５】
さらに上述した実施の形態においては、テレビジョン装置１０は電子番組表１００において、未来の電子番組表と、過去の電子番組表を一体にして同時にディスプレイ３５に表示する場合について述べた。
【０１７６】
本発明はこれに限らず、テレビジョン装置１０は、例えば電子番組表１００の表示がユーザ操作により指示された際は、まず未来の電子番組表を表示し、ユーザにより電子番組表のスクロール操作等がされた際に、過去の電子番組表を表示するようにしても良い。また、図３においてはテレビジョン装置１０は、過去の電子番組表１００Ｙは前日の番組しか表示していないが、さらに過去に遡って番組を表示するようにしても良い。またテレビジョン装置１０は、未来の電子番組表として、本日の電子番組表１００Ｔのみでなく、明日以降の電子番組表を表示するようにしても良い。
【０１７７】
さらに上述した実施の形態においては、受信部としてのアンテナ２３と、番組情報記憶部としての不揮発性メモリ２１と、番組表データ生成部としての制御部２０と、表示部としての表示制御部３４及びディスプレイ３５と、選択部としての制御部２０及び操作部２２と、通信部としてのルータ３１と、番組コンテンツ記憶部としてのユーザコンテンツサーバ１３と、記録管理部としての録画管理サーバ１１と、再生制御部としての制御部２０とによって再生装置としてのテレビジョン装置１０を構成する場合について述べた。
【０１７８】
しかしながら本発明はこれに限らず、その他種々の回路構成でなる受信部と、番組情報記憶部と、番組表データ生成部と、表示部と、選択部と、通信部と、番組コンテンツ記憶部と、記録管理部と、再生制御部とによって再生装置を構成するようにしても良い。
【０１７９】
さらに上述した実施の形態においては、記憶部としての記憶部１５と、放送局制御部としての制御部１４と、受信部としてのアンテナ２３と、番組情報記憶部としての不揮発性メモリ２１と、番組表データ生成部としての制御部２０と、表示部としての表示制御部３４及びディスプレイ３５と、選択部としての制御部２０及び操作部２２と、通信部としてのルータ３１と、番組コンテンツ記憶部としてのユーザコンテンツサーバ１３と、記録管理部としての録画管理サーバ１１と、再生制御部としての制御部２０とによって番組コンテンツ送受信システムとしての番組コンテンツ送受信システム１を構成する場合について述べた。
【０１８０】
しかしながら本発明はこれに限らず、その他種々の回路構成でなる記憶部と、放送局制御部と、受信部と、番組情報記憶部と、番組表データ生成部と、表示部と、選択部と、通信部と、番組コンテンツ記憶部と、記録管理部と、再生制御部とによって番組コンテンツ送受信システムを構成するようにしても良い。
【産業上の利用可能性】
【０１８１】
本発明は、複数の番組コンテンツ記録先を有するテレビジョン装置でも利用できる。
【符号の説明】
【０１８２】
１……番組コンテンツ記録再生システム、１０……テレビジョン装置、１１……録画管理サーバ、１２……放送局コンテンツサーバ、１３……ユーザコンテンツサーバ、２０……制御部、２１……不揮発性メモリ、２２……操作部、２３……アンテナ、２４……チューナ、２５……デスクランブラ、２６……デマルチプレクサ、２７……切替スイッチ、２８……マルチプレクサ、２９……ネットワーク処理部、３０……バッファ、３１……ルータ、３２……ＡＶデコーダ、３３……ＡＶエンコーダ、３４……表示制御部、３５……ディスプレイ、１００……電子番組表、ＳＰＧ……番組情報表示欄、ＰＰ……番組画像、ＰＤ……番組内容解説、ＲＭ……録画完了マーク、ＲＢ……録画ステータスバー、ＲＳ……録画ステータス。
【図１】
2010252191.tif 000003
【図２】
2010252191.tif 000004
【図３】
2010252191.tif 000005
【図４】
2010252191.tif 000006
【図５】
2010252191.tif 000007
【図６】
2010252191.tif 000008
【図７】
2010252191.tif 000009